(57)【要約】【課題】照射対象物を正しく照らすことができ、かつ、人体にやさしい光を照射することが可能な照明ユニット及び医療用照明装置を提供する。【解決手段】医療用照明装置１は、照明ユニット１０を備えている。照明ユニット１０は、励起光源１６ａと、該励起光源１６ａの励起光で励起される赤色蛍光体、緑色蛍光体及び青色蛍光体とを有し、白色光を照射可能に構成された白色光源１６と、白色光源１６が発した光を対象物に向けて反射させる反射鏡２０とを備えている。この照明ユニット１０は、平均演色評価数Ｒａが８５以上で、かつ、特殊演色評価数Ｒ９及びＲ１５がそれぞれ９０以上である。【選択図】図４
2015035373.tif 000002
【特許請求の範囲】
【請求項１】
励起光源と、該励起光源の励起光で励起される赤色蛍光体、緑色蛍光体及び青色蛍光体とを有し、白色光を照射可能に構成された白色光源と、
前記白色光源が発した白色光を対象物に向けて反射させる反射鏡と
を備えることを特徴とする照明ユニット。
【請求項２】
前記励起光源が、近紫外線光を発する近紫外線ＬＥＤである
ことを特徴とする請求項１に記載の照明ユニット。
【請求項３】
平均演色評価数Ｒａが８５以上で、かつ、特殊演色評価数Ｒ９及びＲ１５がそれぞれ９０以上である
ことを特徴とする請求項１又は２に記載の照明ユニット。
【請求項４】
前記白色光源は、波長４００ｎｍ〜５００ｎｍの範囲における最大発光強度Ｘ１が、波長５００ｎｍ〜８００ｎｍの範囲における最大発光強度Ｘ２の１２０％以下の強度である発光スペクトルを有する光を照射可能に構成されている
ことを特徴とする請求項１〜３いずれか１項に記載の照明ユニット。
【請求項５】
前記白色光源は、４０００Ｋ〜４５００Ｋの範囲に属する色温度において、波長４００ｎｍ〜５００ｎｍの範囲における最大発光強度Ｘ１が、波長５００ｎｍ〜８００ｎｍの範囲における最大発光強度Ｘ２よりも低い発光スペクトルを有する光を照射可能に構成されている
ことを特徴とする請求項１〜４いずれか１項に記載の照明ユニット。
【請求項６】
請求項１〜５いずれか１項に記載の照明ユニットを備えることを特徴とする医療用照明装置。
【発明の詳細な説明】
【技術分野】
【０００１】
本発明は、白色ＬＥＤを使用した照明ユニット及び医療用照明装置に関するものである。
【背景技術】
【０００２】
従来、照明装置には、放電式蛍光灯や白熱電球などが広く用いられている。しかしながら、これら放電式蛍光灯や白熱電球は、水銀などの有害な物質が含まれており、また、寿命が短いという問題がある。一方、近年になって、青色に発光する高輝度の青色ＬＥＤが開発されたことにより、従来の放電式蛍光灯や白熱電球に代えて、光源として白色ＬＥＤを使用したＬＥＤ照明装置が用いられるようになってきている。ＬＥＤを使用した照明装置は、水銀などの有害な物質を含んでおらず、また、長寿命で信頼性が高く低消費電力である等の利点がある。
【０００３】
ＬＥＤ照明装置に用いられる白色ＬＥＤとしては、主にマルチチップタイプとワンチップタイプの２つの方式がある。マルチチップタイプ１００は、図８（ａ）に示すように、高輝度の赤色ＬＥＤ１０２、緑色ＬＥＤ１０４及び青色ＬＥＤ１０６の３原色ＬＥＤを使用し、これら各ＬＥＤ１０２、１０４、１０６からの光を混ぜ合わせることにより、白色を作出する白色ＬＥＤである（例えば特許文献１及び２参照）。一方、ワンチップタイプ１１０は、図８（ｂ）に示すように、青色光を発する青色ＬＥＤ１１２と、この青色ＬＥＤ１１２から発生する青色光で励起される蛍光体１１４とを組み合わせることにより、白色光を作出する白色ＬＥＤである。このワンチップタイプ１１０としては、青色ＬＥＤ１１２と黄色蛍光体１１４とを組み合わせたものが一般的であり、これは、青色ＬＥＤ１１２が発する青色光と、この青色光で黄色蛍光体１１４を励起して得た黄色光とを混ぜ合わせることにより白色を作出するものである（例えば特許文献３参照）。これらマルチチップタイプ１００とワンチップタイプ１１０では、いずれにおいても、ＬＥＤが発した光を集光するための集光レンズが用いられることが一般的である。
【先行技術文献】
【特許文献】
【０００４】
【特許文献１】特開平１０−２０９５０４号公報
【特許文献２】特開２０００−３４０８４０号公報
【特許文献３】特開２００７−８８０８３号公報
【発明の概要】
【発明が解決しようとする課題】
【０００５】
しかしながら、マルチチップタイプ１００の従来のＬＥＤ照明装置は、３原色ＬＥＤ１０２、１０４、１０６から発光された光を混ぜ合わせて白色を作出するものであることから、例えば人の頭などで光の一部が遮られてしまうと色が完全に混ざらないことで色ムラのある白色になるという問題がある。
【０００６】
また、青色ＬＥＤ１１２と黄色蛍光体１１４とを組み合わせた白色ＬＥＤ１１０を用いた従来のＬＥＤ照明装置では、図９に示すように、その発光スペクトルに、青色ＬＥＤ１１２の発光波長である４５０ｎｍ前後と、黄色蛍光体１１４が放つ光の波長である５７０ｎｍ前後にそれぞれピークがあり、緑色と赤色の領域の発光強度が低いため、図１０に示すように、演色性が極めて低いという問題がある。さらに、この従来のＬＥＤ照明装置では、青色ＬＥＤ１１２の発光波長である４５０ｎｍ前後に特に鋭いピークが存在する。このような４５０ｎｍ前後の鋭いピークは、エネルギーが強く、散乱しやすいため、眼に大きな負担をかけ、眼精疲労や眼の痛みの原因となるおそれがある。このような演色性及び人体への負担の問題は、特に医療用照明装置において顕著に生じるものである。すなわち、従来のＬＥＤ照明装置では、図１０に示すように、赤色を示す特殊演色評価数Ｒ９や、肌色を示す特殊演色評価数Ｒ１５が極めて低く、施術者や医療従事者が血液や人体の肌の色を正確に把握することができないため、症状を見逃したり、判断を誤ったりするおそれがある。また、手術室内は、室内照明による１０００ルクス以上の光と、無影照明灯による１０万ルクス以上の光が照射されており、施術者や医療従事者は、長時間にわたり、通常の室内照明（２００ルクス程度）の５倍〜５００倍以上という高照度の環境におかれることとなるため、眼に対する負担が大きく、眼精疲労や眼の痛みが特に生じやすいと考えられる。
【０００７】
さらに、集光レンズ１１６により集光する従来のＬＥＤ照明装置では、光の色（波長）によって光の屈折率が異なることにより、図１１（ａ）、図１１（ｂ）に示すように、光野径の縁に色収差が生じ、所謂レインボーエフェクトと呼ばれる、光野径の縁の色がにじむ現象が生じるという問題がある。また、この従来のＬＥＤ照明装置では、集光レンズ１１６を介さずに漏れ出たＬＥＤの直接光が人の眼に照射されるおそれがあり、過度の眩しさを与えるおそれがあるという問題がある。
【０００８】
そして、これらの問題が相俟って、従来のＬＥＤ照明装置では、照射対象物を正しく照らすことができず、また、人体に害を与えるおそれがあるという問題を有している。
【０００９】
そこで、本発明は、照射対象物を正しく照らすことができ、かつ、人体にやさしい光を照射することが可能な照明ユニット及び医療用照明装置を提供することを目的とする。
【課題を解決するための手段】
【００１０】
上記の目的を達成するため、本発明に係る照明ユニットは、励起光源と、該励起光源の励起光で励起される赤色蛍光体、緑色蛍光体及び青色蛍光体とを有し、白色光を照射可能に構成された白色光源と、前記白色光源が発した白色光を対象物に向けて反射させる反射鏡とを備えることを特徴とする。本発明に係る照明ユニットにおいて、励起光源は、近紫外線光を発する近紫外線ＬＥＤであることが好ましい。
【００１１】
本発明に係る照明ユニットは、平均演色評価数Ｒａが８５以上で、かつ、特殊演色評価数Ｒ９及びＲ１５がそれぞれ９０以上であることが好ましい。
【００１２】
本発明に係る照明ユニットにおいて、前記白色光源は、波長４００ｎｍ〜５００ｎｍの範囲における最大発光強度Ｘ１が、波長５００ｎｍ〜８００ｎｍの範囲における最大発光強度Ｘ２の１２０％以下の強度である発光スペクトルを有する光を照射可能に構成されていることが好ましい。また、前記白色光源は、４０００Ｋ〜４５００Ｋの範囲に属する色温度において、波長４００ｎｍ〜５００ｎｍの範囲における最大発光強度Ｘ１が、波長５００ｎｍ〜８００ｎｍの範囲における最大発光強度Ｘ２よりも低い発光スペクトルを有する光を照射可能に構成されていることが好ましい。
【００１３】
本発明に係る医療用照明装置は、以上のような照明ユニットを備えることを特徴とする。
【発明の効果】
【００１４】
本発明によれば、照射対象物を正しく照らすことができ、かつ、人体にやさしい光を照射することが可能な照明ユニット及び医療用照明装置を提供することができる。
【図面の簡単な説明】
【００１５】
【図１】本発明の第１実施形態に係る医療用照明装置の概略構成を示す正面図である。
【図２】第１実施形態における照明ユニットの概略構成を示す正面図である。
【図３】第１実施形態における照明ユニットの白色ＬＥＤの概略構成を示す模式図である。
【図４】図２のＡ−Ａ´線に沿った断面の概略構成を拡大して示す拡大断面図である。
【図５】第１実施形態における白色ＬＥＤの発光スペクトルを示すグラフである。
【図６】第１実施形態における白色ＬＥＤの演色評価数を示すグラフである。
【図７】図７（ａ）は、第２実施形態に係る医療用照明装置の概略構成を示す正面図であり、図７（ｂ）は、第２実施形態における照明ユニットの概略構成を示す正面図であり、図７（ｃ）は、図７（ｂ）のＢ−Ｂ´線に沿った断面の概略構成を拡大して示す拡大断面図である。
【図８】図８（ａ）は、従来のＬＥＤ照明装置に用いられているマルチチップタイプの白色ＬＥＤを示す模式図であり、図８（ｂ）は、従来のＬＥＤ照明装置に用いられているワンチップタイプの白色ＬＥＤを示す模式図である。
【図９】青色ＬＥＤと黄色蛍光体とを組み合わせた白色ＬＥＤの発光スペクトルを示すグラフである。
【図１０】青色ＬＥＤと黄色蛍光体とを組み合わせた白色ＬＥＤの演色評価数を示すグラフである。
【図１１】図１１（ａ）及び図１１（ｂ）は、レンズにより集光する従来のＬＥＤ照明装置における光の屈折及び集光の状況を示す模式図である。
【発明を実施するための形態】
【００１６】
［第１実施形態］
次に、本発明の第１実施形態に係る照明ユニット及び医療用照明装置について、図面に基づいて説明する。なお、本発明に係る照明ユニットは、種々の照明装置に用いることができるが、例えば、病院・診療所の手術室、処置室、診察室、分娩室などの医療施設や、化粧品、衣服及び生鮮食料品などを扱う各種商業施設や、美術館や博物館などの展示施設など、高い演色性が要求される施設の照明装置に特に好適に用いることができる。以下の説明では、手術室に用いられる医療用照明装置（無影照明灯）を例に挙げて説明するが、これに限定されるものではない。
【００１７】
第１実施形態に係る医療用照明装置１は、手術室の天井に多関節アーム（図示せず）を介して水平方向及び垂直方向に移動可能に取り付けられた無影照明灯であり、図１に示すように、対象物（施術部位）に対して光を照射可能な複数（例えば６つ）の照明ユニット１０と、内視鏡手術時の補助灯として機能する複数（例えば３つ）のアンビエントライト１２と、これら照明ユニット１０及びアンビエントライト１２を支持する外縁が六角形状のハウジング１４と、照明ユニット１０及びアンビエントライト１２の点灯状態及び消灯状態を切り替える切り替え制御等を行う制御部（図示せず）とを備えている。各照明ユニット１０は、それぞれ、ハウジング１４内においてバランスの良い対称性を有する配置で、かつそれぞれの中心軸とハウジング１４の中心軸とが施術部位において一点に収束するように、それぞれハウジング１４の中心に向かって傾斜して設けられている。このように照明ユニット１０が配置されることにより、複数の照明ユニット１０による照明の光野を施術部位の位置で重ね合わせて、施術部位上に一つの光野を形成することができる。また、これら各照明ユニット１０は、多関節アームにより水平方向及び垂直方向に移動可能に取り付けられており、また、傾斜角度及び照度がそれぞれ独立して調整可能に構成されているため、医療用照明装置１は、各照明ユニット１０を対象物に対して接近又は離間させる距離遠近による調整や、各照明ユニット１０の傾斜角度を調整することにより実現されるフォーカス調整及び各照明ユニット１０の照度を局所的に調整することにより実現される光野調整等の焦点調整を実施可能に構成されている。
【００１８】
照明ユニット１０は、図２〜図４に示すように、白色ＬＥＤ（白色光源）１６が取り付けられた基板１８と、白色ＬＥＤ１６が露出するように基板１８上に取り付けられた反射鏡２０とを備えている。
【００１９】
基板１８は、図２に示すように、略三角形状に形成されており、その頂点から底辺に亘って１−２−３−４のピラミッド配置となるように、１０個の白色ＬＥＤ１６が取り付けられている。また、基板１８には、１０個の白色ＬＥＤ１６を制御するための制御回路（図示せず）が形成されている。
【００２０】
各白色ＬＥＤ１６は、図３に示すように、３８０〜４５０ｎｍに主発光ピークを有する近紫外線光を発する励起光源１６ａと、該励起光源１６ａの近紫外線光で励起されて白色の光を発する蛍光体１６ｂとを有している。蛍光体１６ｂは、赤色蛍光体、緑色蛍光体及び青色蛍光体を所定の比率で混合することにより構成されても良いし、赤色蛍光体、緑色蛍光体及び青色蛍光体を積層させることにより構成されても良い。
【００２１】
赤色蛍光体は、近紫外線光で励起される、６００〜６５０ｎｍに主発光ピークを有する蛍光体である。この赤色蛍光体は、特に限定されるものではないが、例えば、Ｓｒ２Ｓｉ７Ａｌ３ＯＮ１３：Ｅｕ、Ｌａ２Ｏ２Ｓ：Ｅｕ等で示されるものを用いることができる。
【００２２】
緑色蛍光体は、近紫外線光で励起される、５０５〜５５０ｎｍに主発光ピークを有する蛍光体である。この緑色蛍光体は、特に限定されるものではないが、例えば、（Ｂａ，Ｓｒ，Ｍｇ）２ＳｉＯ４：Ｅｕ，Ｍｎ、Ｓｒ３Ｓｉ１３Ａｌ３Ｏ２Ｎ２１：Ｅｕ、３（Ｂａ，Ｍｇ）Ｏ・８Ａｌ２Ｏ３：Ｅｕ，Ｍｎ等で示されるものを用いることができる。
【００２３】
青色蛍光体は、近紫外線光で励起される、４４０〜４７０ｎｍに主発光ピークを有する蛍光体である。この青色蛍光体は、特に限定されるものではないが、例えば、Ｓｒ１０（ＰＯ４）６Ｃｌ２：Ｅｕ、（Ｓｒ，Ｂａ，Ｃａ）１０（ＰＯ４）８Ｃｌ２：Ｅｕ等で示されるものを用いることができる。
【００２４】
以上のように構成された白色ＬＥＤ１６は、近紫外線の放射光を用いて青色蛍光体、緑色蛍光体及び赤色蛍光体という３種類の蛍光体１６ｂを励起して、ＲＧＢそれぞれのスペクトルを有する光の混色によって白色を得ているため、図５に示すように、およそ４００ｎｍ〜７００ｎｍを超える可視光全域にわたって極端な山や谷の無い連続スペクトル強度を得ることができる。具体的には、白色ＬＥＤ１６は、上記構成を備えることにより、例えば３６００〜６５００Ｋの範囲に属する任意の色温度において、波長４００ｎｍ〜５００ｎｍの範囲における最大発光強度Ｘ１が、波長５００ｎｍ〜８００ｎｍの範囲における最大発光強度Ｘ２の１２０％以下、好ましくは１００％以下、さらに好ましくは８０％以下の強度である発光スペクトルを有する光を照射可能に構成されている。特に、白色ＬＥＤ１６は、４０００Ｋ〜４５００Ｋの範囲に属する任意の色温度、より限定的には４２５０Ｋの色温度において、波長４００ｎｍ〜５００ｎｍの範囲における最大発光強度Ｘ１が、波長５００ｎｍ〜８００ｎｍの範囲における最大発光強度Ｘ２よりも低い発光スペクトルを有する光を照射可能に構成されている。
【００２５】
また、白色ＬＥＤ１６は、およそ４００ｎｍ〜７００ｎｍを超える可視光全域にわたって極端な山や谷の無い連続スペクトル強度を得ることができるため、図６に示すように、平均演色評価数Ｒａが８５以上、好ましくは平均演色評価数Ｒ１〜Ｒ８がいずれも８５以上であり、かつ特殊演色評価数Ｒ９〜Ｒ１５がいずれも８０以上、特にＲ９及びＲ１５が９０以上である高演色な光を照射可能に構成されている。なお、平均演色評価数Ｒ１〜Ｒ８及び特殊演色評価数Ｒ９〜Ｒ１５は、ＪＩＳ  Ｚ  ８７２６に規定された方法により評価することができる。
【００２６】
反射鏡２０は、図２に示すように、基板１８と大きさが一致する略三角形状に形成されており、少なくとも正面側（対象物に対向する面側）の表面全域が、光を反射可能な鏡面となるような材質で形成されているか、又は鏡面となるような加工が施されている。反射鏡２０には、各白色ＬＥＤ１６と整合する位置にそれぞれ、各白色ＬＥＤ１６を露出させるための開口部２２が形成されている。この開口部２２は、図４に示すように、背面側（基板１８との接触面側）から正面側（対象物に対向する面側）に亘って拡径となる略円錐台形状に形成されており、白色ＬＥＤ１６が発した光を対象物に対して反射させ、対象物上に照明の光野を形成する反射面として機能するように構成されている。
【００２７】
照明ユニット１０は、白色ＬＥＤ１６が発した光が対象物に到達する光経路にレンズを備えておらず、白色ＬＥＤ１６が発した光を直接又は反射鏡２０の開口部２２において反射させて、対象物を照らすように構成されている。このように、照明ユニット１０は、白色ＬＥＤ１６が発した光をレンズにより屈折させないため、対象物上における色収差を無くす若しくは極めて抑えることができる。
【００２８】
以上のような第１実施形態に係る医療用照明装置１及び照明ユニット１０によれば、対象物を正しく照らすことができると共に、人体にやさしい光を照射することができる。
【００２９】
すなわち、第１実施形態に係る医療用照明装置１及び照明ユニット１０では、近紫外線の放射光を用いて青色蛍光体、緑色蛍光体及び赤色蛍光体という３種類の蛍光体１６ｂを励起して、ＲＧＢそれぞれのスペクトルを有する光の混色によって色が完全に混ざり、色ムラの無い白色を得ており、従来のＬＥＤ照明装置のような白色を作出するものではない。このため、第１実施形態に係る医療用照明装置１及び照明ユニット１０によれば、対象物に対して照射した光の一部が例えば頭などで遮られたとしても、色が完全に混ざらないことで色ムラのある白色になることはなく、正しい白色の光を対象物に照射することができる。
【００３０】
また、第１実施形態に係る医療用照明装置１及び照明ユニット１０では、反射鏡２０により、白色ＬＥＤ１６が発した光を対象物に向けて反射させるように構成されており、従来のＬＥＤ照明装置のようなレンズを用いていない。このため、第１実施形態に係る医療用照明装置１及び照明ユニット１０によれば、光の色（波長）の違いに起因する光の屈折率の違い等の問題が生じず、所謂レインボーエフェクト等の現象が発生しない正しい光を対象物に照射することができる。また、白色ＬＥＤ１６が発した光を漏れ無く対象物に対して照射させることができ、従来のＬＥＤ照明装置のような光の漏出が生じないため、過度な眩しさがなく、人体への刺激を抑えることができる。
【００３１】
さらに、第１実施形態に係る医療用照明装置１及び照明ユニット１０では、およそ４００ｎｍ〜７５０ｎｍを超える可視光全域にわたって極端な山や谷の無い連続スペクトル強度を得ることができ、４５０ｎｍ前後における鋭いピークが無い光を照射することができるため、眼にやさしく、眼精疲労や眼の痛み等の生じにくい光を提供することができる。また、第１実施形態に係る医療用照明装置１及び照明ユニット１０では、平均演色評価数Ｒａが８５以上であり、かつ特殊演色評価数Ｒ９〜Ｒ１５がいずれも８０以上である高演色な光を照射可能であるため、正しい光を対象物に照射することができる。
【００３２】
そして、このような第１実施形態に係る医療用照明装置１及び照明ユニット１０の利点は、特に医療施設において顕著となるものである。すなわち、手術室等の医療施設では、患者の症状等を正確に判断するために、患者の患部を正確かつ明確に照らす必要があり、また、長時間にわたり高照度環境下におかれる施術者や医療従事者への負担を最小限に抑える必要がある。この点、第１実施形態に係る医療用照明装置１及び照明ユニット１０によれば、にじみのない白色かつ高演色な光を照射することができるため、患者の患部を正確かつ明確に照らすことができる。またこれと同時に、第１実施形態に係る医療用照明装置１及び照明ユニット１０によれば、人体への刺激を最小限に抑えたやさしい光を照射することができるため、施術者や医療従事者への負担を最小限に抑えることができる。
【００３３】
本発明に係る医療用照明装置及び照明ユニットは、上述した実施形態に限定されるものではなく、本発明の技術思想を逸脱しない範囲内において種々の改変を行なうことができる。
【００３４】
［第２実施形態］
例えば、第１実施形態に係る医療用照明装置１及び照明ユニット１０では、反射鏡２０が、白色ＬＥＤ１６を露出させるための開口部２２により、白色ＬＥＤ１６の光を対象物に対して反射させる構成を有するものとして説明したが、これに限定されず、白色ＬＥＤ１６が発した光を対象物に向けて反射させるように構成されるものであれば、いかなる構成を備えていても良い。図７（ａ）〜図７（ｃ）は、第１実施形態に係る医療用照明装置１及び照明ユニット１０とは異なる反射鏡の構造を備える第２実施形態に係る医療用照明装置１´及び照明ユニット１０´を示す概略構成図である。
【００３５】
第２実施形態に係る医療用照明装置１´は、手術室の天井に多関節アーム（図示せず）を介して水平方向及び垂直方向に移動可能に取り付けられた無影照明灯であり、図７（ａ）に示すように、対象物（施術部位）に対して光を照射可能な複数（例えば７つ）の照明ユニット１０´と、これら照明ユニット１０´を支持する円盤状のハウジング１４´と、各照明ユニット１０´の点灯状態及び消灯状態を切り替える切り替え制御等を行う制御部（図示せず）とを備えている。各照明ユニット１０´は、それぞれ、ハウジング１４´内においてバランスの良い対称性を有する配置で、かつそれぞれの中心軸とハウジング１４´の中心軸とが施術部位において一点に収束するように、それぞれハウジング１４´の中心に向かって傾斜して設けられている。このように照明ユニット１０´が配置されることにより、複数の照明ユニット１０´による照明の光野を施術部位の位置で重ね合わせて、施術部位上に一つの光野を形成することができる。また、第２実施形態に係る医療用照明装置１´は、第１実施形態に係る医療用照明装置１と同様に、距離遠近による調整、フォーカス調整及び光野調整等の焦点調整が実施可能に構成されている。
【００３６】
各照明ユニット１０´は、図７（ｂ）に示すように、対象物に対して光を照射可能に構成された複数（例えば１８個）の照明セル３０と、これら照明セル３０を支持する円盤状のハウジング３２とを備えている。照明セル３０は、図７（ｃ）に示すように、円筒状のケース部材３４と、ケース部材３４の底面側（図７（ｃ）中、左側）の開口を閉塞するように設けられた反射鏡３６と、ケース部材３４の上面側（図７（ｃ）中、右側）の開口に設けられた基板３８と、基板３８の反射鏡３６と対向する面の中心に設けられた白色ＬＥＤ１６とを備えている。白色ＬＥＤ１６は、反射鏡３６の焦点位置に位置するように配置されており、基板３８は、反射鏡３６により反射された光が通過可能な開口を有する三又状に形成されている。反射鏡３６は、白色ＬＥＤ１６に向かって凹状の円錐曲面を有し、白色ＬＥＤ１６から放射された光を取り込んで反射させ、対象物側（図７（ｃ）中、右側）に光を照射し、対象物に照明の光野を形成するように構成されている。なお、白色ＬＥＤ１６は、第１実施形態に係る医療用照明装置１及び照明ユニット１０に用いた白色ＬＥＤ１６と同じものを用いることができるため、その説明を省略する。
【００３７】
以上のように構成された第２実施形態に係る医療用照明装置１´及び照明ユニット１０´によっても、第１実施形態に係る医療用照明装置１及び照明ユニット１０と同様に、対象物を正しく照らすことができると共に、人体にやさしい光を照射することができる。
【００３８】
［その他の代替例］
上述した第１及び第２実施形態の他に、例えば、以下の代替例を採用することができる。なお、これら代替例は例示であり、以下の態様に限定されるものではない。
【００３９】
第１及び第２実施形態に係る説明では、照明装置として、医療用照明装置を例に挙げて説明したが、これに限定されず、本発明に係る照明ユニットは、種々の照明装置に用いることができる。また、第１及び第２実施形態に係る説明では、医療用照明装置として、無影照明灯を例に挙げて説明したが、医療用処置照明灯などの他の医療用照明装置であっても良い。さらに、第１実施形態に係る説明では、無影照明灯として、６つの照明ユニットと、３つのアンビエントライトと、六角形状のハウジングと、多関節アームを備えるものを例として挙げて説明し、第２実施形態に係る説明では、無影照明灯として、７つの照明ユニットと、円盤状のハウジングと、多関節アームを備えるものを例として挙げて説明したが、これに限定されず、種々のものを用いることができる。
【００４０】
また、第１及び第２実施形態に係る説明では、白色光源として、近紫外線光を発する近紫外線ＬＥＤを励起光源として用いる白色ＬＥＤを例に挙げて説明したが、これに限定されず、例えば有機ＥＬ等の種々の光源を用いることができる。また、４００〜５００ｎｍに主発光ピークを有する青色光を発する青色ＬＥＤを励起光源として用いる白色ＬＥＤであっても、波長４００ｎｍ〜５００ｎｍの範囲における最大発光強度Ｘ１が、波長５００ｎｍ〜８００ｎｍの範囲における最大発光強度Ｘ２の１２０％以下の強度である発光スペクトルを有する光を照射可能に構成されたものであれば、第１及び第２実施形態に係る照明ユニットの白色ＬＥＤとして用いることができる。
【符号の説明】
【００４１】
１，１´  医療用照明装置、１０，１０´  照明ユニット、１６  白色ＬＥＤ（白色光源）、１６ａ  励起光源、１６ｂ  蛍光体、２０，３６  反射鏡
【図１】
2015035373.tif 000003
【図２】
2015035373.tif 000004
【図３】
2015035373.tif 000005
【図４】
2015035373.tif 000006
【図５】
2015035373.tif 000007
【図６】
2015035373.tif 000008
【図７】
2015035373.tif 000009
【図８】
2015035373.tif 000010
【図９】
2015035373.tif 000011
【図１０】
2015035373.tif 000012
【図１１】
2015035373.tif 000013